(57)【要約】【課題】  立体的な個室をきわめて簡単にイメージすることができる個室のコーディネートツール１を提供することを目的とする。また、カーテン７１、幅木７４、額縁７２、ドア７３等のインテリアも含めてコーディネートすることができる個室のコーディネートツール１を提供する。【解決手段】  個室のコーディネートツール１は、矩形平板上の底面板２と、当該底面板２の側縁に立設される少なくとも１の側面板３と、前記底面板２の背縁に立設される背面板４とを備えた個室のコーディネートツール１において、前記底面板２には、床装材５の現物見本が載置されるとともに、前記側面板３及び前記背面板４には、壁装材６の現物見本が着脱自在に取付られる。【選択図】図１
2010249992.tif 000002
【特許請求の範囲】
【請求項１】
矩形平板状の底面板と、当該底面板の側縁に立設される少なくとも１の側面板と、前記底面板の背縁に立設される背面板とを備えた個室のコーディネートツールにおいて、
前記底面板には、床装材の現物見本が載置されるとともに、前記側面板及び前記背面板には、壁装材の現物見本が着脱自在に取付られることを特徴とする個室のコーディネートツール。
【請求項２】
前記床装材は、前記底面板に複数片載置されていることを特徴とする請求項１に記載の個室のコーディネートツール。
【請求項３】
前記側面板及び前記背面板は、インテリア見本を取付ける取付部が設けられたことを特徴とする請求項１又は請求項２に記載の個室のコーディネートツール。
【請求項４】
前記取付部は、磁石、面ファスナー、吸盤、又はフックであることを特徴とする請求項３に記載の個室のコーディネートツール。
【請求項５】
前記インテリア見本は、カーテン、幅木、額縁又はドアであることを特徴とする請求項３又は請求項４に記載の個室のコーディネートツール。
【請求項６】
前記側面板及び背面板はそれぞれ、前記底面板から着脱自在であって、
前記底面板の奥行きは前記側面板及び前記背面板の高さとほぼ等しく、
前記底面板及び前記背面板の幅は、前記側面板の幅の２倍にほぼ等しいことを特徴とする請求項１から請求項５に記載の個室のコーディネートツール。
【発明の詳細な説明】
【技術分野】
【０００１】
この発明は、住宅等の建物における個室のコーディネートツールに関し、特に、簡単によりリアルに実際の住宅の部屋をイメージすることができる個室のコーディネートツールに関する。
【背景技術】
【０００２】
従来より、住宅の新築や改装の際に間取りを決定した後、具体的な内装の壁及び床の色、素材及び柄について検討するために、住宅内装のサンプル帳が用いられている。例えば特許文献１には、住宅の玄関・廊下綴り、和室綴り、洋室綴り、水廻り綴り、及びコーディネートプラン集綴りに複数枚づつ区分されており、それぞれの綴りにそれぞれの天井見本、壁見本、床見本等がコーディネートされた状態で一覧できるように添付された住宅内装のコーディネートカタログが記載されている。このようにすることで、天井、壁、及び床の色、素材、柄を多種多様な選択肢の中から容易に適切に選択することができ、施工後に天井と壁、又は壁と床がマッチせず施主のイメージと異なるものになることをを防ぐことができる。
【０００３】
また、特許文献２には、見開き構造を有するサンプル帳であって、サンプル帳の上段には２種以上の天井材の現物サンプルを、下段には２種以上の床材の現物サンプルを、中段には天井材及び床材とコーディネートする壁装材の現物サンプルと掲載した現物サンプル等のうちから選択された一種で施工した室内の写真が掲載されてたサンプル帳が記載されている。このようにすると、天井材、壁装材、床材のサンプルを同時に且つ容易に確認することができ、また、室内写真が掲載されていることから、現物サンプルを使用した個室を容易にイメージすることができる。
【先行技術文献】
【特許文献】
【０００４】
【特許文献１】特開平１１−１７４９６５号公報
【特許文献２】特開２００５−３１６３１５号公報
【発明の概要】
【発明が解決しようとする課題】
【０００５】
しかし、以上のような従来のコーディネートツールはいずれも平面的であるため、実際に壁、床等のサンプルを用いた立体的な個室をイメージすることは困難である。特に、子供が従来のコーディネートツールから実際の立体的な個室をイメージすることは困難である。また、個室のイメージは、カーテン、幅木、額縁、及びドア等の色、素材、模様等の要素によっても大きく異なるものであるので、単に壁や、床のイメージを合わせただけでは、施主のイメージどおりにコーディネートすることは困難である。
【０００６】
そこで、本発明は、大人のみならず子供であっても、立体的な個室をきわめて簡単に、イメージすることができる個室のコーディネートツールを提供することを目的とする。また、カーテン、幅木、額縁、ドア等のインテリアも含めてトータルでコーディネートを楽しみながらすることができる個室のコーディネートツールを提供することを目的とする。
【課題を解決するための手段】
【０００７】
請求項１に記載の個室のコーディネートツールは、矩形平板上の底面板と、当該底面板の側縁に立設される少なくとも１の側面板と、前記底面板の背縁に立設される背面板とを備えた個室のコーディネートツールにおいて、前記底面板には、床装材の現物見本が載置されるとともに、前記側面板及び前記背面板には、壁装材の現物見本が着脱自在に取付られることを特徴としている。
【０００８】
請求項２に記載の個室のコーディネートツールは、前記床装材は、前記底面板に複数片載置されていることを特徴としている。
【０００９】
請求項３に記載の個室のコーディネートツールは、前記側面板及び前記背面板は、インテリア見本を取付ける取付部が設けられたことを特徴としている。
【００１０】
請求項４に記載の個室のコーディネートツールは、前記取付部は、磁石、面ファスナー、吸盤、又はフックであることを特徴としている。
【００１１】
請求項５に記載の個室のコーディネートツールは、前記インテリア見本は、カーテン、幅木、額縁又はドアであることを特徴としている。
【００１２】
請求項６に記載の個室のコーディネートツールは、前記側面板及び背面板はそれぞれ、前記底面板から着脱自在であって、前記底面板の奥行きは前記側面板及び前記背面板の高さとほぼ等しく、前記底面板及び前記背面板の幅は、前記側面板の幅の２倍にほぼ等しいことを特徴としている。
【発明の効果】
【００１３】
請求項１に記載の個室のコーディネートツールによると、底面板には、床装材の現物見本が載置されるとともに、側面板及び背面板には、壁装材の現物見本が着脱自在に取付られるので、床装材の現物見本及び壁装材の現物見本を立体的に確認することができる。そして、床装材は底面板に載置されているだけであるので、床装材を置き換えることで異なる複数種類の床装材のコーディネートを試すことができ、また壁装材は側面板及び背面板に着脱自在であるので、この壁装材を異なる種類の壁装材と取り替えることで複数種類の壁装材のコーディネートを試すことができる。また、壁装材及び床装材の現物見本とすることで、色や模様だけでなく、風合、手触り、匂い等を現物で確認することができ、実際の施工に近い空間をイメージすることができる。
【００１４】
請求項２に記載の個室のコーディネートツールによると、複数片の床装材が底面板に載置されているので、種類の異なる複数の床装材を底面板に並べて載置することができ、複数種類の床装材を見比べることができる。
【００１５】
請求項３に記載の個室のコーディネートツールによると、側面板及び背面板は、インテリア見本を取付ける取付部が設けられているので、簡単に床装材及び壁装材のみならず、他のインテリア見本も取付けた状態の個室をイメージすることができる。
【００１６】
請求項４に記載の個室のコーディネートツールによると、取付部は、磁石、面ファスナー、吸盤、又はフックであるので、極めて簡単にインテリア見本を取付けることができる。なお、磁石により取付ける場合には、年齢を問わずインテリア見本を取り付けるべき箇所に正確に取付けることができるのでより好ましい。
【００１７】
請求項５に記載の個室のコーディネートツールによると、インテリア見本は、カーテン、幅木、額縁又はドアであるので、これらのインテリア見本も取付けた状態の個室をイメージすることができる。
【００１８】
なお、ここで額縁は、単に矩形の枠から構成される額縁であってもよいが、額縁の内側にサッシ付きの窓をはめ込んで、個室のコーディネートツールの内側から外側が透過して見えるように構成したサッシ窓付き額縁であることがより好ましい。このように構成することで、より実際の個室の窓により近いものとすることができ、カーテンの風合などを確認する際により現物に近い状態で確認することができる。
【００１９】
請求項６に記載の個室のコーディネートツールによると、底面板の奥行きは側面板及び背面板の高さとほぼ等しく、底面板及び背面板の幅は、側面板の幅の２倍にほぼ等しいので、底面板と背面板とは、ほぼ同じ大きさであるので、重ねて収納することができ、側面板はこれら底面板及び背面板のほぼ半分の大きさであるので重ねて収納することができる。したがって、極めてコンパクトに収納することができる。
【図面の簡単な説明】
【００２０】
【図１】個室のコーディネートツールの外観構成を説明する図。
【図２】個室のコーディネートツールを説明する平面図。
【図３】底面板、側面板、及び背面板の構成を説明する図。
【図４】背面板と側面板との固定部分を説明する一部省略拡大斜視図。
【図５】背面板と側面板とを固定した状態を示す図。
【図６】底面板、背面板、及び側面板を収納するために重ねあわせる状態を説明する図。
【図７】底面板の背縁及び側縁に背面板及び側面板を立設させた状態を説明する図。
【図８】床装材を底面板に載置する状態を説明する図。
【図９】壁装材を側面板及び背面板に取付ける状態を説明する図。
【図１０】インテリア見本を側面板及び背面板に取付ける状態を説明する図。
【発明を実施するための形態】
【００２１】
以下、この発明における個室のコーディネートツール１について、各図を参照しつつ説明する。個室のコーディネートツール１は、図１に示すように、矩形平板状の底面板２と、当該底面板２の側縁に立設される１対の側面板３と、底面板２の背縁に立設される背面板４と、底面板２上に載置される２枚の床装材５と、１対の側面板３及び背面板４に固定される壁装材６と、１対の側面板３及び背面板４に取付けられるカーテン７１、サッシ窓付き額縁７２、開閉式ドア７３、幅木７４等のインテリア見本７と、を備える。
【００２２】
底面板２は、図１から図３に示すように、例えば幅５００ｍｍ（２ａ）で、奥行きが３００ｍｍ（ｂ）程度の矩形平板状であって、両側縁及び背縁にはそれぞれ上方に向けて折曲されたアルミニウム枠８が設けられており、背面板４及び側面板３をそれぞれ立設させることができる。また底面板２の前方の縁に沿って、床装材５をはめ込むことができる枠体９が設けられており、この枠体９には床装材５を取り外しやすくするための切り欠き１０が２箇所に設けられている。
【００２３】
側面板３及び背面板４はその高さが３００ｍｍ（ｂ）程度であり、側面板３の幅は２５０ｍｍ（ａ）、背面板４の幅は５００ｍｍ（２ａ）程のそれぞれ矩形平板状である。側面板３及び背面板４は、内側の面の四隅に壁装材６を取付けるための磁石１１が埋め込まれており、適宜の位置に幅木７４、開閉式ドア７３、サッシ窓付き額縁７２等のインテリア見本７を取り付ける取付部としての見本取付用磁石１２が埋め込まれている。背面板４の略中央には開口１７が設けられており、この開口１７にサッシ窓付き額縁７２を取付けることにより個室のコーディネートツール１の内側から外側を透過できる窓を設けることができるように構成されている。また、右側の側面板３は、開閉式ドア７３を設置できるように切りかかれている。側面板３及び背面板４の下端は、底面板２のアルミニウム枠８が挿入される溝１３が設けられている。そして、図４に示すように、側面板３の背面板４側の端部には背面板４に設けられた貫通孔１４に挿入可能な内部がねじ切られた筒状の突起１５が設けられており、突起１５が貫通孔１４に挿入された状態で、固定用のネジ１６を突起１５の内部に螺着させることにより、図５に示すように、背面板４と側面板３とを固定することができる。
【００２４】
以上のように、底面板２の奥行きと側面板３及び背面板４の高さはそれぞれ略３００ｍｍ（ｂ）でほぼ等しく、底面板２及び背面板４の幅は略５００ｍｍ（２ａ）であり、側面板３の幅である略２５０ｍｍ（ａ）の２倍にほぼ等しく形成されている。したがって図４に示すように、底面板２と背面板４とを重ね合わせ、更に一対の側面板３を重ね合わせることができるので、コンパクトに収納することができる。
【００２５】
床装材５は、フローリング、カーペット、ファブリックフロア、及びコルク材を含むものであり、実際の建物の床面に設置される種々の仕上材及び内装材の現物見本がそれぞれ用意されている。床装材５は底面板２の半分よりもやや小さく形成されており、底面板２の枠体９の内側に２枚の床装材５が収まる大きさである。
【００２６】
また壁装材６は、壁紙の他、壁面に施工する塗料を塗布した不織布等も含み、実際の建物の内壁面に貼り付けられる種々の内装材の現物見本がそれぞれ用意されている。背面板４の形状に合わせた背面用壁装材６ａ、右側の側面板３の形状に合わせた右側面用壁装材６ｂ、及び左側の側面板３の形状に合わせた左側面用壁装材６ｃから成る。背面用壁装材６ａには、中央に背面板４にサッシ窓付き額縁７２のを取付けるために背面板４の開口１７とほぼ一致する穴が開けられており、右側面用壁装材６ｂには、開閉式ドア７３のインテリア見本７を右側の側面板３に取付けるための切り欠きが開けられている。背面用壁装材６ａ、右側面用壁装材６ｂ、及び左側面用壁装材６ｃの背面板４及び側面板３と相対する面の適宜位置には、背面板４及び側面板３に埋め込まれた磁石１１に固定されるように、図示しない磁石が取付けられている。
【００２７】
また、カーテン７１、サッシ窓付き額縁７２、開閉式ドア７３、幅木７４等のインテリア見本７は、現物を例えば８分の１スケールに縮尺した形状及び模様に形成されてるインテリア見本７であって、それぞれ裏面には背面板４又は側面板３に固定可能な見本取付用磁石１２が取付けられている。例えば、カーテン７１は実際のカーテンに用いられる布を使用したインテリア見本７であって、レースのカーテン及びドレープのカーテンがそれぞれ用意されている。また、サッシ窓付き額縁７２は、矩形枠体からなる額縁にアクリル樹脂やポリカーボネート樹脂などの光透過性の樹脂で形成された窓を嵌め込んだサッシを固定したものである。開閉式ドア７３は、例えば、図示しない蝶番を用いて開閉自在に構成されたドアのインテリア見本７である。また、幅木７４は、側面板３の下端に固定される細長い平板状に構成されている。
【００２８】
個室のコーディネートツール１を使用する際には、まず、図３に示すように、底面板２のアルミニウム枠８に背面板４及び側面板３の下端の溝１３を嵌め込み、更に図４に示すように、背面板４の貫通孔１４に側面板３の突起１５を挿入して固定用のネジ１６で固定する。このようにして、図８に示すように、底面板２の背縁及び側縁に背面板４と側面板３とを立設させた状態で、実際の建物の施主と設計や施工の担当者が打ち合わせを行う。具体的には、まず、底面板２に載置する床装材５の選択を行う。例えば、施主の好みや設置する個室の種類に応じて、複数のフローリング、カーペット、ファブリックフロア、及びコルク材から１又は２の床装材５を選択し、図９に示すように、選択した床装材５を底面板２上に載置する。
【００２９】
そして、次に側面板３及び背面板４に取付ける壁装材６を選択する。例えば、底面板２に載置した床装材５とのコーディネートや、施主の好み、設置する個室の種類等の要素に応じて、右側面用壁装材６ｂ、背面用壁装材６ａ、左側面用壁装材６ｃをそれぞれ選択する。そして選択した壁装材６を、図１０に示すように、それぞれ右側の側面板３、背面板４、及び左側の側面板３に固定する。
【００３０】
次に、幅木７４、サッシ窓付き額縁７２、開閉式ドア７３、カーテン７１等のインテリア見本７を選択する。まず、例えば９種類の色又は模様の幅木７４のインテリア見本７の中から１〜３種類の幅木７４を選択し、側面板３及び背面板４の下部内側に固定する。そして、サッシ窓付き額縁７２及び開閉式ドア７３のインテリア見本７も同様に選択して背面板４の中央及び右側面板３に固定する。そして、最後に、例えば１５種類の中から１種類のレースのカーテン７１を選択すると共に、３５種類の中から１種類のカーテン７１を選択し、サッシ窓付き額縁７２の側部に固定する。その後、床装材５、壁装材６、及びインテリア見本７をイメージに合うように他のものと交換しつつ、実際に建築する建物の内装を決定する。
【００３１】
このように、本実施形態の個室のコーディネートツール１は、床装材５の現物見本及び壁装材６の現物見本を立体的に配置することができ、幅木７４、サッシ窓付き額縁７２、開閉式ドア７３、カーテン７１等のインテリア見本７も簡単に設置することができるので、極めて簡単に実際の個室に近い状態で、個室のコーディネートを確認することができる。
【００３２】
特に、サッシ窓付き額縁７２は、光が透過できるように構成されているので、個室のコーディネートツール１の内側から外側を見ることができ、実際の個室の窓により近いものとすることができ、カーテン７１のインテリア見本７の風合などを確認する際により現物に近い状態で確認することができる。また、開閉式ドア７３は、開閉自在に構成されているので、ドア７３を開いた状態での壁装材６及び各インテリア見本７の風合などを確認する際により現物に近い状態で確認することができる。また、子供がコーディネートするような場合に、例えば、子供がドアを開閉する感覚といった、日常生活の動作感覚を養いながらコーディネートすることができる。
【００３３】
しかも、取り付けに見本取付用磁石１２を用いることで、取付けるべき位置に簡単且つ正確にインテリア見本７を取付けることができ、例えば大人のみならず子供であっても個室のコーディネートツール１を用いて、楽しみながら容易に実際に施工される部屋をコーディネートすることができる。
【００３４】
なお、本実施形態においては、インテリア見本７の取り付けに用いる取付部として見本取付用磁石１２を用いたが、見本取付用磁石１２に替えて適宜位置に面ファスナー、吸盤、又はフックを設置してインテリア見本７を取付ける構成であってもよい。
【００３５】
また、本実施形態においては、底面板２、背面板４及び側面板３が着脱自在な構成としたが、例えば底面板２に背面板４及び側面板３が蝶番を介して連結されており、折り畳み自在な構成としても良い。このように構成すると、底面板２に背面板４及び側面板３を取付ける手間を省くことができる。
【００３６】
また、本実施形態においては、インテリア見本７として、幅木７４、サッシ窓付き額縁７２、開閉式ドア７３、カーテン７１を例示したが、インテリア見本７は壁に固定する又は床に載置する他のインテリアの見本であってもよい。本実施形態においては、サッシ窓付き額縁７２として背面板４に固定されているがこれに限定されるものではなく、側面板３に固定されるものであっても良い。
【００３７】
また、本実施形態においては、背面板４の中央を開口しサッシ窓付き額縁７２を固定したときに、外が透過して見える構成とすることで、実際の個室の窓により近いものとすることができ、カーテン７１のインテリア見本７の風合などを確認する際により現物に近い状態で確認することができるものであるが、本発明の「額縁」はこれに限定されるものではなく、背面板４に開口が設けられておらず、サッシ及び窓が設けられていない枠体で構成された額縁を用いるものであっても良い。また、本実施形態において、開閉式ドア７３を開閉自在な構成として、ドアが開いたときの壁装材６及び各インテリア見本の風合などを確認することができるものであるが、本発明の「ドア」はこれに限定されるものではなく、単に右側の側面板３に取り付けられるだけの開閉しない構成であってもよい。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係る個室のコーディネートツール１は、例えば住宅の施工時における、施主と設計施工業者との打ち合わせにおいて、好適に用いることができる。
【符号の説明】
【００４０】
１    個室のコーディネートツール
２    底面板
３    側面板
４    背面板
５    床装材
６    壁装材
７    インテリア見本
１２  見本取付用磁石（取付部）
７１  カーテン
７２  サッシ窓付き額縁（額縁）
７３  開閉式ドア（ドア）
７４  幅木
【図１】
2010249992.tif 000003
【図２】
2010249992.tif 000004
【図３】
2010249992.tif 000005
【図４】
2010249992.tif 000006
【図５】
2010249992.tif 000007
【図６】
2010249992.tif 000008
【図７】
2010249992.tif 000009
【図８】
2010249992.tif 000010
【図９】
2010249992.tif 000011
【図１０】
2010249992.tif 000012